(57)【要約】【課題】透明板の全体を隅々まで照らすことができ、しかも、台座を必要としない表示装置を提供する。【解決手段】合成樹脂製の透明板１と第１および第２の光源とを備え、上記透明板１が、台板部１２と、この台板部１２の前方側の端縁で上方に湾曲して略垂直状に延びる第１の立板部１３と、この第１の立板部１３の上端から湾曲して上記台板部１２の後方側に延びそれ自体の一部に貫通穴１４ａが穿設された横板部１４と、この横板部１４の後方側の端縁で湾曲して上方に延びる第２の立板部１５とで構成され、上記台板部１２の内部に形成される穴１７内もしくは台板部の後方側の端縁に形成された切欠部に、第１の光源が配設され、第２の立板部１５の内部に形成される穴２０内に、第２の光源が配設されている。【選択図】図１
2005157077.tif 000002
【特許請求の範囲】
【請求項１】
合成樹脂製の透明板と、この透明板を照らす第１および第２の光源とを備え、上記透明板が、台板部と、この台板部の前方側の端縁で上方に湾曲して略垂直状に延びる第１の立板部と、この第１の立板部の上端から湾曲して上記台板部の後方側に延びそれ自体の一部に貫通穴が穿設された横板部と、この横板部の後方側の端縁で湾曲して上方に延びる第２の立板部とで構成され、上記台板部の内部に形成される穴内もしくは台板部の後方側の端縁に形成された切欠部に、上記第１の光源がその照射方向を前方に向けた状態で配設され、第２の立板部の内部に形成される穴内に、上記第２の光源がその照射方向を上方に向けた状態で配設されていることを特徴とする表示装置。
【請求項２】
上記台板部の前方側の端縁の、第１の立板部に続く湾曲部の外周面に、光を反射する反射シートが設けられている請求項１記載の表示装置。
【発明の詳細な説明】
【技術分野】
【０００１】
本発明は、各種の広告，展示等に用いられる表示装置に関するものである。
【背景技術】
【０００２】
近年、各種の広告，展示用に、図１０および図１１に示すような表示装置が用いられている。この表示装置は、表面に各種の文字，模様，宣伝文句等３０が印刷されたアクリル樹脂製の透明板３１と、この透明板３１の下端部を支受する台座３２とからなり、この台座３２の内部に蛍光灯等の照明手段３３を収容したものである。そして、上記照明手段３３により、上記印刷した宣伝文句等３０を下側から照らし、透明板３１の表面に浮かび上がらせるようにしている。
【発明の開示】
【発明が解決しようとする課題】
【０００３】
しかしながら、上記の表示装置では、照明手段３３から発光される光は、左右に拡散しながら直進するため、透明板３１の上部に到達するころには、その左右両端部分にも拡散して上記上部の全体に行き渡るものの、照明手段３３に近い場所（すなわち、透明板３１の下端部）では、その左右両端部分に光が行き渡らない。したがって、透明板３１の下端部の左右両端部分を隅々まで照らすことができず、この部分に上記宣伝文句等３０を印刷することができないという問題がある。しかも、上記の表示装置では、透明板３１を支受するための台座３２が必要になるという問題もある。
【０００４】
本発明は、このような事情に鑑みなされたもので、透明板の全体を隅々まで照らすことができ、しかも、台座を必要としない表示装置の提供をその目的とする。
【課題を解決するための手段】
【０００５】
上記の目的を達成するため、本発明の表示装置は、合成樹脂製の透明板と、この透明板を照らす第１および第２の光源とを備え、上記透明板が、台板部と、この台板部の前方側の端縁で上方に湾曲して略垂直状に延びる第１の立板部と、この第１の立板部の上端から湾曲して上記台板部の後方側に延びそれ自体の一部に貫通穴が穿設された横板部と、この横板部の後方側の端縁で湾曲して上方に延びる第２の立板部とで構成され、上記台板部の内部に形成される穴内もしくは台板部の後方側の端縁に形成された切欠部に、上記第１の光源がその照射方向を前方に向けた状態で配設され、第２の立板部の内部に形成される穴内に、上記第２の光源がその照射方向を上方に向けた状態で配設されているという構成をとる。
【発明の効果】
【０００６】
すなわち、本発明の表示装置は、その合成樹脂製の透明板が、台板部と、この台板部の前方側の端縁で上方に湾曲して略垂直状に延びる第１の立板部と、この第１の立板部の上端から湾曲して上記台板部の後方側に延びそれ自体の一部に貫通穴が穿設された横板部と、この横板部の後方側の端縁で湾曲して上方に延びる第２の立板部とで構成されており、上記透明板を照らす第１の光源が、その照射方向を前方に向けた状態で、上記台板部の内部に形成される穴内もしくは台板部の後方側の端縁に形成された切欠部に配設されている。したがって、本発明では、上記第１の光源から発光された光は、台板部内を左右に拡散しながら前方に向かって進み、台板部の前方側の端縁の湾曲部に到達したのち、この湾曲部に沿って折れ曲がり、第１の立板部側に向かう。このとき（すなわち、上記光が湾曲部で折れ曲がるとき）、上記光の進行方向が湾曲部に沿って大きく変化するため、ここで抵抗を受けて左右に大きく拡散する。その結果、上記光が湾曲部の左右両端部分にまで拡散したり、もしくは、湾曲部の左右両端部分の内側近傍を外・斜め向きに通り抜けたのち、湾曲部を通り過ぎてすぐに第１の立板部の下端部の左右両端部分にまで拡散したりする。したがって、上記湾曲部を通り過ぎた光は、第１の立板部の全体に隅々まで行き渡り、第１の立板部の下端部の左右両端部分に表示された表示内容（各種の文字，模様，宣伝文句等）をも綺麗に浮き上がらせることができる。しかも、上記第１の光源が、台板部の後方側の端縁に形成された切欠部に配設されている場合には、上記第１の光源の後方に台板部が存在しないため、上記第１の光源から発光された光が、台板部を伝って後方に逃げることがなく、光の伝送損失をほとんど無くすことができ、光の伝送効率がよい。
【０００７】
しかも、第２の光源が、その照射方向を上方に向けた状態で、第２の立板部の内部に形成される穴内に配設されている。したがって、上記第２の光源から発光された光は、第２の立板部内を左右に拡散しながら上方に向かって進み、第２の立板部に表示された表示内容（各種の文字，模様，宣伝文句等）を綺麗に浮き上がらせることができる。また、上記第２の光源から発光された光の一部は、第２の立板部内を左右に拡散しながら下方に向かって進む。一方、上記第１の光源から発光された光は、第１の立板部を通りすぎたのち、横板部内を後方に向かって進むが、その途中で、横板部の一部に穿設された貫通穴の内周面から外部に抜け出すため、横板部の後方側の端縁まで進む光は殆どなくなる。したがって、第２の光源の色が第１の光源の色と異なる場合にも、上記第２の光源の色で、第２の立板部に表示された表示内容（各種の文字，模様，宣伝文句等）を綺麗に浮き上がらせることができる。このため、２色での表示が可能になる。しかも、本発明では、上記透明板に台板部を設けているため、上記透明板とは別に、台座を設ける必要がない。なお、本発明において、「略垂直状に延びる」とは、第１の立板部が、台板部の前方側の端縁で上方に湾曲して垂直状に延びている場合だけでなく、やや後方傾斜状に延びている場合をも含む意味である。
【０００８】
また、上記台板部の前方側の端縁の、第１の立板部に続く湾曲部の外周面に、光を反射する反射シートが設けられていると、この反射シートで、上記第１の光源から発光された光が台板部の前方側の端縁から外部に抜け出ることが防止されるとともに、上記反射シートに衝突して乱反射した光が、さらに左右に大きく拡散する。
【発明を実施するための最良の形態】
【０００９】
つぎに、本発明の実施の形態を図面にもとづいて詳しく説明する。
【００１０】
図１〜図６は本発明の表示装置の一実施の形態を示している。これらの図において、１は合成樹脂（例えば、アクリル樹脂）製の透明板（厚み５ｍｍ程度）である。２，３は上記透明板１に固定された第１および第２の制御装置であり、第１の制御装置２は、第１の光源として用いられるＬＥＤ４（発光ダイオード）（図６参照）の点滅や点滅時間等を制御し、第２の制御装置３（図２参照）は、第２の光源として用いられるＬＥＤ５（両ＬＥＤ４，５が発光する光の色は、それぞれ異なっている）（図４参照）の点滅や点滅時間等を制御している。図１において、６は上下一対の鏡であり、図２において、７，８は電気コードである。
【００１１】
上記透明板１は、底面の全面にシート材１１が接着，固定された平板な台板部１２と、この台板部１２の先端から上方に湾曲して後方傾斜状に延びる平板な第１の立板部１３と、この第１の立板部１３の上端から後方に湾曲して略水平もしくは上向き傾斜状に延びる平板な横板部１４と、この横板部１４の後端から上方に湾曲して後方傾斜状に延びる平板な第２の立板部１５とからなっており、これらが一体成形されている。また、上記台板部１２には、図６（この図６では、シート材１１は図示せず）に示すように、その後端面１２ａから所定距離離れた位置に複数個（この実施の形態では、３個）の穴１７（長方形状の切欠部分１７ａと、この先端に設けた半円形状の切欠部分１７ｂとで構成されている）が穿設されており、これら各穴１７に、上記台板部１２に載置，固定された第１の制御装置２に電気的に接続するＬＥＤ４が配設されている。
【００１２】
また、上記台板部１２の先端の湾曲部１ａ（すなわち、台板部１２と第１の立板部１３との接続部）（図２参照）には、その湾曲している前面に、銀箔製シート材からなる反射シート１８が貼着されており、この反射シート１８で、上記ＬＥＤ４から発光されたのち台板部１２を通過してきた光が、上記湾曲部１ａの前面から外部に抜け出ることを防ぐとともに、上記光のほとんどが第１の立板部１３側に反射されるようにしている。
【００１３】
上記第１の立板部１３には、その前面の上部や下端部の左右両端部分に、各種の表示（例えば、文字，模様，宣伝文句等）１９（図１および図３参照）がレーザー彫刻（深さ１０μ程度）により形成されている。このレーザー彫刻は、Ｃａｄ  Ｃａｍ  Ｔｅｃｈｎｏｌｏｇｙ社製のＣＡＳＥＲ５００（機種名）を用い、形成したものである。
【００１４】
上記横板部１４には、その後部に、左右に長い長方形状の貫通穴１４ａが穿設されており（図７参照）、この貫通穴１４ａの内周面から、上記横板部１４の先端側から奥側に向かって進んできた光の大部分を外部に逃がし、上記横板部１４の奥側から第２の立板部１５にほとんど進めないようにしている。
【００１５】
上記第２の立板部１５には、その中央部に、図４に示すように、複数個（この実施の形態では、３個）の穴２０（長方形状の切欠部分２０ａと、この上端に設けた半円形状の切欠部分２０ｂとで構成されている）が穿設されており、これら各穴２０に、上記第２の立板部１５に固定された第２の制御装置３（図３参照）に電気的に接続するＬＥＤ５が配設されている。また、上記中央部には、その前面に、上記第２の制御装置３の前面を覆うようにして、鏡６が両面テープ等（図示せず）で接着，固定されており、この鏡６の左右両側に、円柱からなる透明な棒状体２１が接着，固定されている。また、上記第２の立板部１５には、その前面の上部に、各種の表示（例えば、文字，模様，宣伝文句等）２２（図１および図３参照）がレーザー彫刻（深さ１０μ程度）により形成されている。このレーザー彫刻も、上記のＣＡＳＥＲ５００を用い、形成したものである。
【００１６】
上記の構成において、第１の制御装置２を作動させて各ＬＥＤ４を点灯させると、これら各ＬＥＤ４から発光された光が、左右に拡散しながら台板部１２内を直進して台板部１２の先端の湾曲部１ａに到達し、この湾曲部１ａに沿って折れ曲がり第１の立板部１３側に向かう。このとき（すなわち、上記光が上記湾曲部１ａで折れ曲がるとき）、上記光の進行方向が大きく変わるため、ここで上記光が抵抗を受けて左右に大きく拡散し、上記湾曲部１ａの左右両端部分にまで拡散したり、もしくは、上記湾曲部１ａの左右両端部分の内側近傍を外・斜め向きに通り抜けたのち、上記湾曲部１ａを通り過ぎてすぐに第１の立板部１３の下端部の左右両端部分にまで拡散したりする。また、上記光が反射シート１８で外部に抜け出ることが防止されるとともに、反射シート１８に衝突して反射した光が、さらに左右に大きく拡散する。そして、上記湾曲部１ａを通り過ぎた光は、第１の立板部１３の全体に行き渡り、この第１の立板部１３の前面に表示された表示１９を綺麗に浮き上がらせたのち、第１の立板部１３の上端面から横板部１４内に向かい、また、第１の立板部１３の左右両側面から外部に抜け出る。
【００１７】
つぎに、横板部１４内に向かった光は、横板部１４の先端側から内部を進み，その大部分が横板部１４の貫通穴１４ａの内周面から外部に抜け出る。また、上記貫通穴１４ａの左右両側を通って横板部１４の後端に到達した少しの光は、第２の立板部１５内に向かう。一方、第２の制御装置３を作動させて各ＬＥＤ５を点灯させると、これら各ＬＥＤ５から発光された光が、左右に拡散しながら第２の立板部１５内を上方に向かって直進し、上記第２の立板部１５の前面に表示された表示２２を綺麗に浮き上がらせたのち、第２の立板部１５の上端面および左右両側面から外部に抜け出る。このとき、上記各ＬＥＤ５から発光された光の一部は、第２の立板部１５内を左右に拡散しながら下方に向かって進み、第２の立板部１５の下側を照らす。
【００１８】
上記のように、この実施の形態では、上記第１の制御装置２の各ＬＥＤ４から発光された光が、第１の立板部１３の全体に隅々まで行き渡るため、第１の立板部１３の下端部の左右両端部分に表示された表示１９をも綺麗に浮き上がらせることができる。しかも、上記第２の制御装置３の各ＬＥＤ５から発光された光により、第２の立板部１５に表示された表示２２を綺麗に浮き上がらせることができる。しかも、上記両ＬＥＤ４，５の色が異なっているため、２色での表示が可能になる。しかも、透明板１に台板部１２を設けているため、上記透明板１とは別に、台座を設ける必要がない。
【００１９】
図８は本発明の表示装置の他の実施の形態の要部を示している。この実施の形態では、台板部１２には、図９に示すように、その後端面１２ａから前方に向かって延びる略四角形状の切欠部２３が切欠き形成されており、かつ、この切欠部２３の前端面２３ａから前方に向かって真っ直ぐに延びる複数本（この実施の形態では、５本）の筋状切欠部２４（長方形状の切欠部分２４ａと、この先端に設けた半円形状の切欠部分２４ｂとで構成されている）が切欠き形成されている。そして、上記台板部１２上に載置，固定された第１の制御装置２の一部２ａが上記切欠部２３に配設されているとともに、上記制御装置２に電気的に接続する複数個（この実施の形態では、５個）のＬＥＤ４がそれぞれ上記各筋状切欠部２４内に配設されている。それ以外の部分は上記実施の形態と同様であり、同様の部分には同じ符号を付している。この実施の形態でも、上記実施の形態と同様の作用・効果を奏する。しかも、上記各ＬＥＤ４が、台板部１２の切欠部２３に形成された筋状切欠部２４に配設されているため、上記各ＬＥＤ４から発光された光が後方に逃げることがなく、光の伝送効率がよい。
【００２０】
なお、上記両実施の形態では、透明板１の樹脂材料として、アクリル樹脂を用いているが、これに限定するものではなく、ポリカーボネート等、各種の合成樹脂を用いることができる。また、上記両実施の形態では、光源として、ＬＥＤ４，５を用いているが、蛍光灯，電球等の各種の光源を用いることができる。
【００２１】
また、上記両実施の形態では、第１の立板部１３を、台板部１２の先端から上方に湾曲して後方傾斜状に延ばしたもので構成しているが、これに限定するものではなく、台板部１２の先端から上方に湾曲して垂直に延ばしたもので構成してもよい。また、上記両実施の形態では、上記透明板１の台板部１２に対する第１の立板部１３の傾斜角度を小さくする（例えば、台板部１２と第１の立板部１３とでＶ字状を形成する）こともできる。また、上記両実施の形態では、台板部１２の先端の湾曲部１ａの前面に反射シート１８を設けているが、これを設けなくてもよい。また、上記両実施の形態において、透明板１の第１の立板部１３にＤＶＤビデオ等のコンパクトディスクの見本品を保持させることで、陳列用および広告用として用いることができる。
【図面の簡単な説明】
【００２２】
【図１】本発明の表示装置の一実施の形態を示す斜視図である。
【図２】上記表示装置を示す側面図である。
【図３】上記表示装置を示す正面図である。
【図４】上記表示装置を示す背面図である。
【図５】上記表示装置を示す平面図である。
【図６】上記表示装置（シート材は図示せず）を示す底面図である。
【図７】上記表示装置を示す要部断面図である。
【図８】本発明の表示装置の他の実施の形態の要部を示す平面図である。
【図９】透明板の要部を示す平面図である。
【図１０】従来例を示す正面図である。
【図１１】上記従来例を示す側面図である。
【符号の説明】
【００２３】
１  透明板
４，５  第１および第２の光源
１２  台板部
１３  第１の立板部
１４  横板部
１４ａ  貫通穴
１５  第２の立板部
１７，２０  穴
【図１】
2005157077.tif 000003
【図２】
2005157077.tif 000004
【図３】
2005157077.tif 000005
【図４】
2005157077.tif 000006
【図５】
2005157077.tif 000007
【図６】
2005157077.tif 000008
【図７】
2005157077.tif 000009
【図８】
2005157077.tif 000010
【図９】
2005157077.tif 000011
【図１０】
2005157077.tif 000012
【図１１】
2005157077.tif 000013